(57)【特許請求の範囲】
【請求項１】
先端側がテーパ状に次第に細くなった棒状体の取っ手部に十字状の操作部を形成してあること、
前記の十字状の操作部における左右の張り出し体が帯板状になっており、その偏平面が前記棒状体の中心軸線と平行な面内に有ること、
前記の十字状の操作部の左右の帯板状張り出し体において、その棒状体寄りの根元部に、ハリスを巻き付ける円弧状の凹部を形成してあることを特徴とする釣針外し器。
【請求項２】
前記操作部の帯板状の張り出し体において、前記テーパ状の先端側に、ハリスを引き込むくさび状の切り込みを有していることを特徴とする請求項１に記載の釣針外し器。
【請求項３】
先端側がテーパ状に次第に細くなった棒状体の取っ手部に形成した十字状の操作部における左右の張り出し体を帯板状に形成してあり、この帯板状張り出し体の根元部に円弧状の凹部を形成し、前記テーパ状の先端側に、ハリスを引き込むくさび状の切り込みを有している釣針外し器を用い、
十字状操作部の左右の帯板状の張り出し体の根元の円弧状の凹部中にハリスを数回巻き付けた後、前記張り出し体の切り込み中にハリスを引き込んだ状態で、左右の帯板状張り出し体を押して、棒状体を徐々に回転させることによって、ハリスをテーパ状部に巻きつけていき、最後の負荷が増大した時点で、前記の帯板状張り出し体に回転力を加えてさらに回転させることによって、釣針を魚から外すことを特徴とする釣針外し器の使用方法。
【発明の詳細な説明】
【技術分野】
【０００１】
本発明は、釣り上げた魚から釣針を取り外すのに用いる釣針外し器に関し、釣針を飲み込んでしまっているときに簡単かつ確実に取り外せるようにするものである。
【背景技術】
【０００２】
釣り上げた魚の口に釣針が引っ掛かっているときは、ペンチで簡単に取り外せるが、飲み込んでしまっていると、ペンチでも容易に外せない。特に、初心者や女性は、外すのに苦労する。このような問題に対応できる釣針外し器として、種々のアイディアが提案されている。例えば、特開平８−19361 号公報に掲載されているように、帯板状体の先端に、釣針の軸部が入る窓孔を有し、この窓孔にハリスを導くスリットを開けた製品を見かける。そのほか、特開平10−33102 号公報、特開2000−41559 号公報や特開2001−169706号公報、特開2002−84956 号公報などに記載のような凝った構造も提案されている。
【特許文献１】特開平８−19361
【特許文献２】特開平10−33102
【特許文献３】特開2000−41559
【特許文献４】特開2001−169706
【特許文献５】特開2002−84956
【発明の開示】
【発明が解決しようとする課題】
【０００３】
ところが、特許文献１に掲載のように、釣針外し器の窓孔部の先端で釣針のふところ部を押し戻して、釣針を外す構造では、外した状態で釣針の針先が露出した状態となるため、せっかく外しても、魚の口から取り出すまでに、再度口内に引っ掛かってしまう問題がある。
【０００４】
また、特許文献３や特許文献４に記載の構成は、一見すると合理的な構造に思えるが、構造が複雑になる。また、外した状態で釣針の針先が露出した状態となることや、魚の粘液で滑ってしまって、うまく外せない場合もあること、釣針の刺さり方によっては、釣針が外れる方向に操作できない場合もある、などの問題は依然として解決されていない。
【０００５】
本発明の技術的課題は、このような問題に着目し、構成が極めて簡単かつ安価であり、どのような刺さり方でも確実かつ容易に取り外せる釣針外し器を実現することにある。
【課題を解決するための手段】
【０００６】
本発明の技術的課題は次のような手段によって解決される。請求項１は、先端側がテーパ状に次第に細くなった棒状体の取っ手部に十字状の操作部を形成してあること、
前記の十字状の操作部における左右の張り出し体が帯板状になっており、その偏平面が前記棒状体の中心軸線と平行な面内に有ること、
前記の十字状の操作部の左右の帯板状張り出し体において、その棒状体寄りの根元部に円弧状の凹部を形成して、この凹部中にハリスを数回巻き付けるようにしたことを特徴とする釣針外し器である。
【０００７】
このように、テーパ状棒状体の取っ手部に十字状の操作部を形成してあるため、先ず魚の口内に棒状体を差し込み、ハリスを十字状操作部の張り出し体に巻き付けてハリスを固定した状態で、棒状体を徐々に回転させると、ハリスがテーパ状部に巻き付けられていき、釣針のふところ部まで巻き付けられた時点で、それ以上巻き付け不能となる。その後は、棒状体を回そうとすると、多少の抵抗は有るが、十字状操作部を操作してさらに回転させると、釣針のかえしの引っ掛かっている肉部が切れて、釣針が魚から外れる。そして、外れた釣針のふところ部にテーパ状部が入り込み、針先がテーパ状部に刺さった状態となるので、針先が露出して、再度魚に引っ掛かることもない。このように、十字状操作部によって棒状体を回転させるだけであるから、初心者でも容易に釣針を外すことができる。しかも、釣針のふところ部を押すのでなく、ハリスをテーパ状部に巻き取って引っ張るだけであるから、釣針の掛かり方と関係なしに、確実かつ容易に外すことができる。
【０００８】
また、前記の十字状操作部における左右の張り出し体が帯板状になっており、その偏平面が前記棒状体の中心軸線と平行な面内に有るため、棒状体の回転操作の際に、親指で板状の偏平面を押すだけで容易に棒状体を回転できる。したがって、テコの原理と滑車の原理で、軽い力で確実に外すことができる。
【０００９】
さらに、前記帯板状張り出し体の根元部に円弧状の凹部を形成してあるので、この円弧状の凹部中にハリスを数回巻き付けると、張り出し体へのハリスの巻き付けが安定する。したがって、その後は、棒状体の回転操作に集中でき、迅速かつ確実に釣針を外すことができる。
【００１０】
請求項２は、前記操作部の帯板状の張り出し体において、前記テーパ状の先端側に、ハリスを引き込むくさび状の切り込みを有していることを特徴とする請求項１に記載の釣針外し器である。このように、前記操作部の帯板状張り出し体に、くさび状の切り込みを有しているので、張り出し体にハリスを数回巻き付けた状態で、くさび状の切り込みにハリスを引き込むことによって、ハリスを張り出し体に確実に固定できる。したがって、その後は、張り出し体を押して棒状体を回転させるだけであるから、初心者でも容易に棒状体を回転させて釣針を外すことができる。
【００１１】
請求項３は、先端側がテーパ状に次第に細くなった棒状体の取っ手部に形成した十字状の操作部における左右の張り出し体を帯板状に形成してあり、この帯板状張り出し体の根元部に円弧状の凹部を形成し、前記テーパ状の先端側に、ハリスを引き込むくさび状の切り込みを有している釣針外し器を用い、十字状操作部の左右の帯板状の張り出し体の根元の円弧状の凹部中にハリスを数回巻き付けた後、前記張り出し体の切り込み中にハリスを引き込んだ状態で、左右の帯板状張り出し体を親指で押して、棒状体を徐々に回転させることによって、ハリスをテーパ状部に巻きつけていき、最後の負荷が増大した時点で、前記の帯板状張り出し体に親指で回転力を加えてさらに回転させることによって、釣針を魚から外すことを特徴とする釣針外し器の使用方法である。
【００１２】
このように、テーパ状棒状体の取っ手部に十字状の操作部を形成してある釣針外し器を用い、十字状操作部の左右の張り出し体の根元の円弧状の凹部中にハリスを数回巻き付けた後、切り込みにハリスを引き込んだ状態で、十字状操作部を操作して棒状体を徐々に回転させるだけで釣針を外すことができる。すなわち、棒状体の回転によって、ハリスが棒状体のテーパ状部に次第に巻きつけられ、最後の負荷が増大した時点で、十字状操作部の張り出し体に力を加えてさらに回転させると、釣針が容易に魚から外れる。したがって、釣針の刺さり方などとも関係無しに、初心者でも容易に外すことができる。
【発明の効果】
【００１３】
請求項１のように、テーパ状棒状体の取っ手部に十字状の操作部を形成してあるため、先ず魚の口内に棒状体を差し込み、ハリスを十字状操作部の張り出し体に巻き付けてハリスを固定した状態で、棒状体を徐々に回転させると、ハリスがテーパ状部に巻き付けられていき、釣針のふところ部まで巻き付けられた時点で、それ以上巻き付け不能となる。その後は、棒状体を回そうとすると、多少の抵抗は有るが、十字状操作部を操作してさらに回転させると、釣針のかえしの引っ掛かっている肉部が切れて、釣針が魚から外れる。そして、外れた釣針のふところ部にテーパ状部が入り込み、針先がテーパ状部に刺さった状態となるので、針先が露出して、再度魚に引っ掛かることもない。このように、十字状操作部によって棒状体を回転させるだけであるから、初心者でも容易に釣針を外すことができる。しかも、釣針のふところ部を押すのでなく、ハリスをテーパ状部に巻き取って引っ張るだけであるから、釣針の掛かり方と関係なしに、確実かつ容易に外すことができる。
【００１４】
また、前記の十字状操作部における左右の張り出し体が帯板状になっており、その偏平面が前記棒状体の中心軸線と平行な面内に有るため、棒状体の回転操作の際に、親指で板状の偏平面を押すだけで容易に棒状体を回転できる。したがって、テコの原理と滑車の原理で、軽い力で確実に外すことができる。
【００１５】
さらに、前記帯板状張り出し体の根元部に円弧状の凹部を形成してあるので、この円弧状の凹部中にハリスを数回巻き付けると、張り出し体へのハリスの巻き付けが安定する。したがって、その後は、棒状体の回転操作に集中でき、迅速かつ確実に釣針を外すことができる。
【００１６】
請求項２のように、前記操作部の帯板状張り出し体に、くさび状の切り込みを有しているので、張り出し体にハリスを数回巻き付けた状態で、くさび状の切り込みにハリスを引き込むことによって、ハリスを張り出し体に確実に固定できる。したがって、その後は、張り出し体を押して棒状体を回転させるだけであるから、初心者でも容易に棒状体を回転させて釣針を外すことができる。
【００１７】
請求項３のように、テーパ状棒状体の取っ手部に十字状の操作部を形成してある釣針外し器を用い、十字状操作部の左右の張り出し体の根元の円弧状の凹部中にハリスを数回巻き付けた後、切り込みにハリスを引き込んだ状態で、十字状操作部を操作して棒状体を徐々に回転させるだけで釣針を外すことができる。すなわち、棒状体の回転によって、ハリスが棒状体のテーパ状部に次第に巻きつけられ、最後の負荷が増大した時点で、十字状操作部の張り出し体に力を加えてさらに回転させると、釣針が容易に魚から外れる。したがって、釣針の刺さり方などとも関係無しに、初心者でも容易に外すことができる。
【発明を実施するための最良の形態】
【００１８】
次に本発明による釣針外し器が実際上どのように具体化されるか実施形態を説明する。図１は、本発明による釣針外し器の全容を示す斜視図である。本発明による釣針外し器は、棒状体ｓと、該棒状体ｓから十字状に突出した左右２つの張り出し体ｈ１、ｈ２から成っている。棒状体ｓは、取っ手部ｇとテーパ状部ｔとからなっており、取っ手部ｇは、全長にわたってほぼ同じ太さになっているのに対し、テーパ状部ｔは、先端側が次第に細くなっている。なお、この棒状体ｓは木製が好ましい。合成樹脂製や金属製は、魚から外れた釣針の針先がテーパ状部に刺さらず、外れやすいので、好ましくない。また、中空の筒状でもよいし、中実体でもよく、外形が丸い棒状であればよい。
【００１９】
図２は、図１の釣針外し器の正面図と右側面図と平面図であり、棒状体ｓの取っ手部ｇには、中心軸線ａと直交する方向に貫通孔１を開けて、その中に、１本の帯板状体を挿通することによって、張り出し体ｈ１、ｈ２を形成してある。なお、取っ手部ｇと帯板状体との交差部にピンｐ１、ｐ２を打ち込んで、互いに固定してある。もちろん、接着材などで接着固定してもよい。そして、左右の張り出し体ｈ１、ｈ２には、根元部すなわち取っ手部ｇ寄りの位置に、ハリス巻き付け用の凹部２を形成してある。また、巻き付けたハリスを挟持固定できるように、テーパ状部側に、くさび状の切り込み３を形成してある。
【００２０】
次に、この釣針外し器の使用方法を説明する。先ず最初に、図３のように、釣れた魚ｆの口中に、本発明による釣針外し器のテーパ状部ｔの先端を挿入する。そして、釣針に結んであり、魚ｆの口中から延びているハリス４を、張り出し体ｈ１、ｈ２の根元の凹部２に数回巻き付ける。次いで、切り込み３に導いて、切り込み３中に引き込んで挟持させて固定する。
【００２１】
以上の操作でハリス４が棒状体ｓに対し安定よく保持されているため、次に、張り出し体ｈ１、ｈ２の偏平面に親指を押し当てて、回転力を加えることによって、棒状体ｓを徐々に回転させる。その結果、図１のように、ハリス４はテーパ状部ｔに螺旋状に巻き付けられる。そして、釣針５の軸部６がテーパ状部ｔに当たる頃には、ハリス４のそれ以上の巻き取りが不可能になると共に、負荷が重くなって、回転操作が困難になるが、それでも張り出し体ｈ１、ｈ２に回転力を加えて回転させると、釣針のふところ部ｉがテーパ状部ｔに巻きつくと共に、釣先がテーパ状部ｔに約１ｍｍも突き刺さる状態となり、しかも、釣針５で魚ｆの肉部がち切られて、釣針５が魚ｆから外れる。
【００２２】
こうして、魚ｆから外れた釣針５の針先はテーパ状部ｔに突き刺さった状態となるため、従来のように、外れた釣針５が再度魚ｆの口内に引っ掛かってしまうようなことはなく、円滑に、テーパ状部ｔと一緒に魚の口外に取り出される。なお、魚に手を触れるのを嫌う場合は、取っ手部ｇを握り、テーパ状部ｔを魚の口に挿入した状態で、魚をぶら下げてぐるぐる回転させ、ハリス４をテーパ状部ｔに巻き付けていくだけで、最終的には魚ｆが釣針から外れて、自然落下するので、魚に触りたくない女性などの場合にも好都合である。
【００２３】
こうして、魚の口から取り出した後は、ハリス４を切り込み３から外した後、張り出し体ｈ１、ｈ２の根元の凹部２から巻き戻してから、棒状体ｓを逆方向に回転させると、ハリス４がテーパ状部ｔから巻き戻され、最後に、針先が刺さった状態の釣針５もテーパ状部ｔから外せるので、一連の操作が完了する。
【００２４】
釣り上げた魚ｆのサイズや口のサイズはまちまちであるが、棒状体ｓのハリス４を巻きつける部分はテーパ状になっているため、口の小さな魚の場合は、テーパ状部ｔの先端部分のみを挿入して回転操作するだけで、釣針を外すことができる。また、口の大きな魚の場合は、テーパ状部ｔが入るまで挿入して、ハリスを巻き付けることができる。したがって、魚の口のサイズを問わず、１本の釣針外し器を共用できる。なお、図示例の場合は、取っ手部ｇの太さは1.５〜２.5ｃｍ程度であり、棒状体ｓの全長は20〜30ｃｍ程度であるが、さらに大型にしてもよいし、小型にしてもよい。
【００２５】
以上のように、本発明による釣針外し器の場合は、ハリスを張り出し体ｈ１、ｈ２に巻きつけて固定した状態で、帯板状張り出し体ｈ１、ｈ２の偏平面を押して棒状体ｓを回転させるため、テーパ状部ｔにテコの原理と滑車の原理とで大きな回転力を加えることができる。したがって、釣針が魚に対し、どのような刺さり方をしていても、確実に取り外すことができ、特に釣針を飲み込んでしまって、ペンチでは外せないときでも、熟練を要することなく容易に外せる。また、釣針はそのふところ部までテーパ状部に巻き取られるため、釣針のふところ部がテーパ状部に強固に固定支持され、しかも針先がテーパ状部に突き刺さって安定した状態で、さらに棒状体が回転して釣針が引っ張られるため、釣針が引っ掛かった肉部がち切られて、釣針が確実に魚から外れることになる。
【産業上の利用可能性】
【００２６】
以上のように、本発明によると、先端側がテーパ状の棒状体の取っ手部に十字状に張り出し体を設けて操作部を形成してあるため、釣った魚から釣針を簡単かつ確実に取り外すことができる。その結果、漁師などの専門家の場合は、作業効率が向上し、漁業の活性化が期待できる。また、釣りに不慣れな初心者の場合は、熟練を要しないでも釣針を外せるので、釣り人口が増え、国民の余暇の有効活用に貢献できる。
【図面の簡単な説明】
【００２７】
【図１】本発明による釣針外し器の全容を示す斜視図である。
【図２】図１の釣針外し器の正面図と右側面図と平面図である
【図３】釣れた魚の口に棒状体を挿入した状態である。
【符号の説明】
【００２８】
ｓ  棒状体
ｈ１、ｈ２  帯板状の張り出し体
ｔ  テーパ状部
ｇ  取っ手部
２  凹部
３  切り込み（ハリス挟持手段）
４  ハリス
５  釣針
６  軸部
ｆ  魚
【図１】
0003729458.tif 000002
【図２】
0003729458.tif 000003
【図３】
0003729458.tif 000004